(57)【要約】ハウジングと、ユーザ・インタフェースと、モータおよび一群の駆動要素と、コントローラとを含む、輸液ポンプ。前記ハウジングは、他の複数台の輸液ポンプに対する選択的な積み重なった取り付けを可能とする。前記ハウジングは、外側面内に一体化された把持部であって、略Ｕ字形状の保持構造を部分的に画成するという把持部を備えた頂部部分を含む。前記ハウジングは、別の輸液ポンプの保持構造と選択的に結合すべく輪郭形成された略Ｕ字形状の突出部を備えた底部部分も含む。前記ユーザ・インタフェースは、前記ハウジングに対し、輸液ポンプ動作に関する命令を受信する前面側を提供する。前記モータおよび一群の駆動要素は、少なくとも部分的に前記ハウジング内に配置され、注入液の注入を機械的に行わせる。前記コントローラは、前記ハウジング内に配置され、且つ、前記モータおよび前記一群の駆動要素の動作を制御する。
2020527417.tif 000002
【特許請求の範囲】
【請求項１】
他の複数の輸液ポンプとの選択的な積み重なった取り付けを可能とするハウジングであって、
外側面内に一体化された把持部であって、略Ｕ字形状の保持構造を部分的に画成する  把持部を備えた頂部部分と、
別の輸液ポンプの保持構造と選択的に結合すべく輪郭形成された略Ｕ字形状の突出部  を備えた底部部分と、
を有するハウジングと、
該ハウジングに対し、輸液ポンプ動作に関する命令を受信する前面側を提供するユーザ・インタフェースと、
少なくとも部分的に前記ハウジング内に配置され、注入液の注入を機械的に行わせるモータおよび一群の駆動要素と、
前記ハウジング内に配置され、前記モータおよび前記一群の駆動要素の動作を制御するコントローラと、
を備える輸液ポンプ。
【請求項２】
前記輸液ポンプはシリンジ・ポンプである、請求項１記載の輸液ポンプ。
【請求項３】
前記輸液ポンプはＬＶＰポンプである、請求項１記載の輸液ポンプ。
【請求項４】
前記ユーザ・インタフェースはタッチ画面およびキー・パッド制御器の両方を含む、請求項１記載の輸液ポンプ。
【請求項５】
前記ハウジングは、略Ｕ字形状の前記保持構造に対して着脱自在に結合する突出部を有する外部バッテリ・パックを含む、請求項１記載の輸液ポンプ。
【請求項６】
注入液のシリンジを受容すべく構成されたシリンジ受容器と、
該シリンジ受容器の近傍に配置されて、前記シリンジのプランジャに抗する移動に基づいて前記シリンジから前記注入液を患者まで導向するシリンジ・プランジャ駆動器アセンブリと、
前記シリンジ受容器に対して結合されたハウジングであって、シリンジ・ポンプを制御するＧＵＩディスプレイを含む前面側を含むというハウジングと、
を備えるシリンジ・ポンプであって、
前記シリンジ受容器は、前記ハウジングの前記前面側にて、重なり合わない整列様式で、垂直方向において前記ＧＵＩディスプレイの近傍に配置され、
前記ハウジングは、前記シリンジ受容器内の前記シリンジと、前記ＧＵＩディスプレイ全体との両方が前記ハウジングの前記前面側にて視認可能である如く構成される、
シリンジ・ポンプ。
【請求項７】
前記シリンジ受容器は前記ＧＵＩディスプレイの下方に配置される、請求項６記載のシリンジ・ポンプ。
【請求項８】
前記ハウジングは、他の複数の輸液ポンプに対する選択的な積み重なった取り付けに対して準備されると共に、前記ハウジングは、
外側面内に一体化されて保持構造を部分的に画成する把持部を備えた頂部部分と、
別の輸液ポンプの保持構造に対して選択的に結合すべく輪郭形成された突出部を備える底部部分と、
を有する、請求項６記載のシリンジ・ポンプ。
【請求項９】
前記ＧＵＩディスプレイはタッチ画面である、請求項６記載のシリンジ・ポンプ。
【請求項１０】
前記ＧＵＩ上には４行のテキストが同時に表示可能である、請求項６記載のシリンジ・ポンプ。
【請求項１１】
前記シリンジ・ポンプは片手操作用に構成される、請求項６記載のシリンジ・ポンプ。
【請求項１２】
ハウジングと、ディスプレイ画面を備えたユーザ・インタフェースとを有する第１輸液ポンプと、
ディスプレイ画面を有さないヘッドレス輸液ポンプであって、舌部及び溝アタッチメントにより前記第１輸液ポンプの前記ハウジングに対して取外し可能に結合されたというヘッドレス輸液ポンプと、
を備える、輸液ポンプ・アセンブリ。
【請求項１３】
複数台のヘッドレス輸液ポンプを更に含む、請求項１２記載の輸液ポンプ・アセンブリ。
【請求項１４】
前記第１輸液ポンプの前記ハウジングは、前記舌部及び溝アタッチメントの一部として、前記ヘッドレス輸液ポンプに対して選択的に結合すべく輪郭形成された略Ｕ字形状の突出部を備えた底部部分を有する、請求項１２記載の輸液ポンプ・アセンブリ。
【請求項１５】
前記第１輸液ポンプはシリンジ・ポンプである、請求項１２記載の輸液ポンプ・アセンブリ。
【請求項１６】
前記第１輸液ポンプはＬＶＰである、請求項１２記載の輸液ポンプ・アセンブリ。
【請求項１７】
前記複数台のヘッドレス輸液ポンプは、ＬＶＰおよびシリンジ・ポンプの両方を含む、請求項１３記載の輸液ポンプ・アセンブリ。
【請求項１８】
前記複数台のヘッドレス輸液ポンプはブルートゥース（登録商標）を介して相互に通信する、請求項１３記載の輸液ポンプ・アセンブリ。
【請求項１９】
輸液ポンプ用に、頂部部分と底部部分とを有する後部ハウジングを備える、輸液ポンプ用のフィールド交換可能ユニットであって、
前記頂部部分は、一体形成の把持部構造と、一組の溝とを有し、前記底部部分は、別の後部ハウジングにおける各溝との取外し可能な結合のための突出部を有し、且つ、前記後部ハウジングは、電力ソケットとイーサネット（登録商標）・ポートとを含み、且つ、
前記後部ハウジングは、ＬＶＰとシリンジ・ポンプとを含む異なる複数の形式の輸液ポンプの、一群の薬剤送給要素と、制御システムと、ディスプレイとに対して互換的に結合する、
輸液ポンプ用のフィールド交換可能ユニット。
【請求項２０】
前記突出部は略Ｕ字形状である、請求項１９記載の輸液ポンプ用のフィールド交換可能ユニット。
【請求項２１】
前記後部ハウジングは、患者管理鎮痛ポンプの、一群の薬剤送給要素と、制御システムと、ディスプレイとに対して互換的に結合される、請求項１９記載の輸液ポンプ用のフィールド交換可能ユニット。
【発明の詳細な説明】
【技術分野】
【０００１】
関連出願に対する相互参照
本出願は、２０１７年７月１９日に出願された米国特許仮出願第６２／５３４，４０７号明細書の優先権を主張するものであり、この出願を参照することにより全体的に本明細書中に援用される。
【０００２】
各実施例は、概略的に、医療デバイスに関し、更に詳細には、シリンジ・ポンプおよび大容量ポンプ（ＬＶＰ）の形態の輸液ポンプのための構造に関する。
【背景技術】
【０００３】
医療分野において、輸液ポンプは、患者に対する規定の量もしくは回分量の薬剤、流体、流体状物質、または、医薬品（以下、集合的に「注入液」）の送給および投与を管理すべく有用とされてきた。輸液ポンプは、長い時間に亙り注入液を正確に送給かつ投与することにより、手動式の注入技術と比較して幾つかの相当な利点を提供し得る。
【０００４】
注入ポンプは、定期的な薬理学的介入を必要とする、癌、糖尿病などの病気および障害、および、血管性、神経性および代謝性の障害を治療するために特に有用である。それはまた、医療サービス提供者が麻酔を送給して痛覚を管理する能力も増進させる。注入ポンプは、病院、養護施設、および、他の長期および短期の医療施設などの種々の設置状況において、ならびに、在宅看護の設置状況において使用される。注入ポンプは、種々の構成、動作モード、および、形式を含み得る。
【０００５】
概略的に、注入ポンプは、種々の形式のポンプを含み得る。幾つかの場合、これらの注入ポンプは、シリンジ・ポンプおよびＬＶＰを含む。それらの特定の設計態様および意図された用法に依存して、注入ポンプは、静脈内的、腹膜内的、経腸的、動脈内的、皮下的、脊髄幹的などの種々の送給方法および経路により、特に、術中部位、硬膜外空間、および、クモ膜下腔内へと注入液を投与すべく使用され得る。
【発明の概要】
【発明が解決しようとする課題】
【０００６】
長年に亙り、医療環境においては種々のシリンジ・ポンプおよびＬＶＰが使用されてきたが、これらのデバイスは寧ろ、それらの効率的、効果的および安全な用法に対する幾つかの制限がある複雑なデバイスのままである。故に、操作者に対して大きな融通性および使用の容易さを提供するシリンジ・ポンプおよびＬＶＰに対する要望が在る。更に、多くの医療処置および治療における注入ポンプの重要な役割の故に、患者に対して大きな安全性を提供するシリンジ・ポンプおよびＬＶＰも必要とされる。
【課題を解決するための手段】
【０００７】
本明細書中に記述され、または、別様に企図される実施例は、実質的に、他の利点の中でも、融通性、使用の容易性、操作性、ならびに、患者の安全性を向上させる利点を提供する。
【０００８】
実施例は、ハウジングと、ユーザ・インタフェースと、モータおよび一群の駆動構成要素と、コントローラとを含む注入ポンプに関する。上記ハウジングは、他の複数台の注入ポンプに対する選択的な積み重なった取り付けを可能とする。上記ハウジングは、一体化された把持部を備える頂部部分と、略Ｕ字形状の保持構造を部分的に画成する外側面とを含む。上記ハウジングはまた、別の注入ポンプの保持構造と選択的に結合すべく輪郭形成された略Ｕ字形状の突出部を備える底部部分も含む。上記ユーザ・インタフェースは、上記ハウジングに対し、注入ポンプ動作に関する命令を受信する前面側を提供する。上記モータおよび一群の駆動要素は、少なくとも部分的に上記ハウジング内に配置され、注入液の注入を機械的に行わせる。上記コントローラは、上記ハウジング内に配置され、且つ、上記モータおよび上記一群の駆動要素の動作を制御する。
【０００９】
実施例は、シリンジ受容器と、シリンジ・プランジャ駆動器アセンブリと、ハウジングとを含むシリンジ・ポンプに関する。上記シリンジ受容器は、注入液のシリンジを受容すべく構成される。上記シリンジ・プランジャ駆動器アセンブリは、上記シリンジ受容器の近傍に配置されて、上記シリンジのプランジャに抗する移動および力に基づいて上記シリンジから上記注入液を患者まで導向する。上記ハウジングは、上記シリンジ受容器に対して結合され、且つ、ハウジングは、上記シリンジ・ポンプを制御するグラフィカル・ユーザ・インタフェース（ＧＵＩ）ディスプレイを含む前面側を有する。上記シリンジ受容器は、上記ハウジングの上記前面側にて、重なり合わず且つ視覚的に遮らない整列様式で、垂直方向において上記ＧＵＩディスプレイの近傍に配置される。上記ハウジングは、上記シリンジ受容器内の上記シリンジと、上記ＧＵＩディスプレイ全体との両方がハウジングの上記前面側にて視認可能である如く構成される。
【００１０】
実施例は、輸液ポンプ・アセンブリを含む。上記輸液ポンプ・アセンブリは、ハウジングと、ディスプレイ画面を備えたユーザ・インタフェースとを有する第１輸液ポンプを含む。上記輸液ポンプ・アセンブリはまた、ディスプレイ画面を有さない「ヘッドレス」輸液ポンプも有する。上記ヘッドレス輸液ポンプは、舌部及び溝アタッチメントにより上記第１輸液ポンプの上記ハウジングに対して取外し可能に結合される。
【００１１】
実施例は、輸液ポンプ用の「フィールド交換可能ユニット」に関する。フィールド交換可能ユニットは、輸液ポンプ用の後部ハウジングを含む。後部ハウジングは、頂部部分および底部部分を有する。上記頂部部分は、一体形成の把持部構造と、一組の溝とを有する。上記底部部分は、別の後部ハウジングにおける各溝との取外し可能な結合のための突出部を有する。上記後部ハウジングは、電力ソケットとイーサネット（登録商標）・ポートとを含む。上記後部ハウジングは、ＬＶＰまたはシリンジ・ポンプのいずれかの、一群の薬剤送給要素、制御システム、および、ディスプレイに対して互換的に結合する。
【００１２】
上述した概要は、図示された各実施例、または、本発明の主題の全ての実施形態を記述することは意図されない。以下における各図および詳細な説明は、種々の実施例を更に詳細に例証する。
【００１３】
本発明の主題は、添付図面に関する種々の実施例の以下の詳細な説明を考慮すれば更に完全に理解され得る。
【図面の簡単な説明】
【００１４】
【図１】図１は実施例に係るシリンジ・ポンプの前方斜視図である。
【図２】図２は実施例に係るシリンジ・ポンプの後方斜視図である。
【図３】図３は実施例に係るシリンジ・ポンプの前面図である。
【図４】図４は実施例に係るシリンジ・ポンプの後面図である。
【図５】図５は実施例に係るシリンジ・ポンプの上面図である。
【図６】図６は実施例に係るシリンジ・ポンプの底面図である。
【図７】図７は実施例に係るシリンジ・ポンプの概略的システム図である。
【図８】図８は実施例に係るＬＶＰの前方斜視図である。
【図９】図９は実施例に係るＬＶＰの後方斜視図である。
【図１０】図１０は実施例に係るＬＶＰの前面図である。
【図１１】図１１は実施例に係るＬＶＰの後面図である。
【図１２】図１２は実施例に係るＬＶＰの上面図である。
【図１３】図１３は実施例に係るＬＶＰの底面図である。
【図１４】図１４は実施例に係るＬＶＰの概略的システム図である。
【図１５】図１５は実施例に係るシリンジ・ポンプまたはＬＶＰのための後部ハウジング部分を構成するＦＲＵの一例の斜視図である。
【図１６Ａ】図１６Ａは実施例に係る複数台の輸液ポンプのラック式取り付け構造の斜視図である。
【図１６Ｂ】図１６Ｂはあ実施例に係る複数台の輸液ポンプの積み重ね取り付け構造の斜視図である。
【図１７】図１７は実施例に係る外部バックアップ・バッテリ・パックを有する輸液ポンプ装置の斜視図である。
【図１８】図１８は実施例に係る他の複数台の「ヘッドレス」ＬＶＰを備えたＬＶＰの積み重ね取り付け構造の斜視図である。
【発明を実施するための形態】
【００１５】
種々の実施例は種々の改変および代替的形態が可能であるが、それらの詳細は、図面中に例示的にのみ示されてきており、且つ、詳細に記述されよう。但し、その意図は、権利請求される主題を、記述された特定実施例に限定するものでないことが理解されるべきである。逆に、その意図は、各請求項により定義された主題の精神および有効範囲内に収まる全ての改変例、均等物および代替例を網羅することである。
【００１６】
図１〜図７においては、シリンジ・ポンプ１００の形態の輸液ポンプの種々の概観が示される。同様に、図８〜図１４においては、ＬＶＰ２００の形態の輸液ポンプの種々の概観が示される。シリンジ・ポンプ１００およびＬＶＰ２００はいずれも、ポンプ要素が容易に更新もしくは交換されることを可能とする複数の個別的なＦＲＵを含むフィールド交換可能ユニット（ＦＲＵ）設計態様を使用している。シリンジ・ポンプ１００およびＬＶＰ２００の両方に対し、幾つかのＦＲＵは共通である。「シリンジ・ポンプ」とは概略的に、マイクロプロセッサの制御下にて機械的に駆動される事前充填された注入シリンジに作用して、規定の量もしくは回分量の注入液を、制御速度にて、上記シリンジに対して流体接続された注入ラインを通して患者に対して送給するポンプを包含する。シリンジ・ポンプは典型的に、たとえば、送りネジまたは調節機構を回転させるモータを含んでいる。一方、上記送りネジもしくは調節機構は、シリンジのバレル内のプランジャに当接して前方に押圧するシリンジ・ポンプのシリンジ・プランジャ駆動器を起動する。そのとき、プランジャを前方に押圧すると、注入液の回分量は、シリンジから、注入ライン内に、且つ、上述の如く患者に対して強制移動される。本開示内容を通して用いられる如く、「シリンジ・ポンプ」という語句は概略的に、シリンジに作用して、其処から流体を制御可能に外方に強制移動させる任意の医学的な輸液ポンプもしくはデバイスに関連することが意図される。
【００１７】
「ＬＶＰ」という語句は、種々の形態を呈し得るが、典型的には、比較的に大量の単一種または複数種の注入液を保持もしくは格納すべく構成された、カセット、ＩＶバッグ、または、他の自己完結式供給源の如きひとつ以上のリザーバに対して結合された輸液ポンプである。本開示内容を通して用いられる如く、「ＬＶＰ」という語句は、患者に対して大容量の注入を行い得る任意の医学的な輸液ポンプもしくはデバイスに関連することが意図される。
【００１８】
シリンジ・ポンプ
図１〜図６を参照すると、シリンジ・ポンプ１００は概略的に、ユーザ・インタフェース１１０、ハウジング１１２、シリンジ・プランジャ駆動器アセンブリ１１４、および、シリンジ受容器１１６を含む。内部的であり、または、ハウジング１１２により部分的もしくは全体的に覆い隠される幾つかを含む、シリンジ・ポンプ１００の種々の他の特定構造は、図７のシステム図に関して後に記述される。
【００１９】
図１において見られる如く、ユーザ・インタフェース１１０は概略的に、ディスプレイ画面１１８およびキー・パッド１２０を含んでいる。ディスプレイ画面１１８は、矩形状のカラーＬＣＤであり得ると共に、幾つかの実施例においてはタッチ画面であり得る。ディスプレイ画面１１８は、シリンジ・ポンプ１００を制御する上で使用される任意の形式のＧＵＩディスプレイであり得る。幾つかの実施例において、ディスプレイ画面１１８は、各々が３０文字までの長さの４行のテキストの表示を許容すべく構成され得る。従って、ディスプレイ画面１１８のこのサイズは好適に、たとえば、相当な長さの薬剤名の如き情報の視認を可能とする。
【００２０】
幾つかの実施例において、幾つかの命令もしくは指示は、ディスプレイ画面１１８の如きタッチ画面によっては制御されず、代わりに、キー・パッド１２０により制御される。キー・パッド１２０は、ディスプレイ画面１１８の近傍に配置されると共に、種々のボタンおよび表示ライトを呈示する。幾つかの実施例において、電源のオン・オフ、音響警報の消音、注入開始、および、注入停止などの幾つかのユーザ命令に対しては、キー・パッド１２０上で物理的で機械的な起動を要する押ボタンが使用される。キー・パッド１２０上における付加的な、もしくは、更に少ないボタンも意図される。基本的もしくは冗長的な目的に対する物理的で機械的な起動ボタンは、ディスプレイ１１８のタッチ画面が適切に機能しない、または、正しく操作することが困難であるという場合、操作者に対して大きな安全性および信頼性を提供する。故に、ユーザ・インタフェース１１０にディスプレイ画面１１８およびキー・パッド１２０の両方を含めると、画面インタフェースの融通性、ならびに、物理的制御ボタンの大きな安全性および信頼性が提供される。
【００２１】
ハウジング１１２は概略的に、シリンジ・ポンプ１００の内部要素を囲繞する保護外殻体を形成する。幾つかの実施例において、ユーザ・インタフェース１１０は、ハウジング１１２の一部と見做され得る。ハウジング１１２は、前側ハウジング・アセンブリ１２２および後側ハウジング・アセンブリ１２４を備えると特性記述され得る。前側ハウジング・アセンブリ１２２は、概略的に、ＬＣＤディスプレイ画面１１８、キー・パッド１２０、および、ユーザ・インタフェース１１０の回りの他の構成要素を囲繞する。前側ハウジング・アセンブリ１２２は、シリンジ・ポンプ１００の前側部分に沿う側部パネル１２６を含む。前側ハウジング１２２の一方もしくは両方の側部パネル１２６上には、音響スピーカ１２８のための一群の小寸孔が配置され得る。
【００２２】
たとえば、図４に示された如く、後側ハウジング・アセンブリ１２４は、種々の輪郭形成された表面および形状を含むことで、シリンジ・ポンプ１００の内部要素を保護する。後側ハウジング・アセンブリ１２４の頂部部分１３０は、把持部１３２を画成する特定構造を提供する。把持部１３２は、後側ハウジング・アセンブリ１２４の外側面に対して一体的に形成されると共に、部分的に、ハウジング１１２の頂部部分１３０における中央凹所１３４により画成される。把持部１３２は、シリンジ・ポンプ１００を把持し、操作し、且つ、移動する便利な構造を提供する。一体的に形成された把持部１３２の性質は、ハウジング１１２の残部と共に、相当に容易に清浄化される能力の故に、医学的な設置状況において利点を提供する。対照的に、別体的なヒンジまたは取付け用の特定構造を有する非一体的な把持部およびハウジングの構造は、清浄化することが相当に困難である構成要素もしくはアセンブリを呈し得る。
【００２３】
たとえば、図５に示された如く、把持部１３２は更に、略Ｕ字形状の保持構造１３６の一部である。略Ｕ字形状の保持構造１３６は、他の輸液ポンプもしくは関連構成要素に対する取外し可能な連結係合機構を提供し得る。図１および図２の斜視図、特に図５の上面図に示された如く、略Ｕ字形状の保持構造１３６が視認され得る。略Ｕ字形状の保持構造１３６は、ハウジング１１２の頂部部分１３０に配置された中央凹所１３４の回りで内方に延在する上側唇部１３８を含む。上側唇部１３８は、凹所１３４の３つの側部の回りに延在することで、上方から視認されたときに概略的な「Ｕ字」形状を形成する。略「Ｕ字」形状の中央における上側唇部１３８の区画は、部分的に把持部１３２を構成する。上側唇部１３８のこの区画の張出し部の下方には、シリンジ・ポンプ１００の揚動を試みるユーザが、上方から自身の指を載置して把持部１３２を容易に把持し得る更に深底に凹状形成されたスペースが在る。
【００２４】
上側唇部１３８に加え、略Ｕ字形状の保持構造１３６は更に、「Ｕ字」形状の各端部における後側ハウジング・アセンブリ１２４の後面１４２の近傍にて上側唇部１３８の下方に、（たとえば、図２および図４に部分的に示された）一組の受容溝１４０を含んでいる。各受容溝１４０は、構造が漸進的に狭幅化すると共に後側ハウジング・アセンブリ１２４の後面１４２から内方に収束するスロットである。各受容溝１４０の前方には、上記ハウジングの狭幅区画１４４が在り、これに対しては、挿入された部材が当接し得る。
【００２５】
たとえば、図１および図４に示された如く、一組の受容溝１４０の一方側には、捕捉部１４８を有するラッチ１４６が配置される。この捕捉部１４８は、スプリング負荷されると共に、所定位置へと弾発移動されて、各受容溝１４０内に装填された部材を保持し得る。これらのラッチ１４６および捕捉部１４８の各部材の逆側にて、ハウジング１１２の上部の側面上には、更なるポンプ・ラッチ・ボタン１５０が在る。ポンプ・ラッチ・ボタン１５０は、各受容溝１４０により把持部１３２に対して積み重さなり、かつ係合されたポンプもしくは構成要素が、解除されて取り外され得る如く、ラッチ１４６および捕捉部１４８の各部材を繋止解除すべく押圧され得る。
【００２６】
図２に示された如く、後側ハウジング・アセンブリ１２４は、ポンプ１００の底部部分１５４上に、下方に延在すると共に略Ｕ字形状の突出部１５２も含んでいる。略Ｕ字形状の突出部１５２は、（他の同様のもしくは同一のポンプまたはデバイスからの受容溝１４０と同様である）溝内に載置され得る突出構造である。略Ｕ字形状の突出部１５２は、後側ハウジング・アセンブリ１２４の底部部分１５４上に配置される。図６におけるシリンジ・ポンプ１００の底面図において最も明確に視認される如く、略Ｕ字形状の突出部１５２は、前方部分１５６および後方部分１５８を含む。
【００２７】
略Ｕ字形状の突出部１５２の前方部分１５６は、「Ｕ字」形状の中央に配置される。前方部分１５６は、隙間なく湾曲された「Ｕ字」形状を形成する。前方部分１５６は、ハウジング１１２の頂部部分１３０上における略Ｕ字形状の保持構造１３６の狭幅区画１４４のそれと同様に、ポンプもしくはデバイスの対応表面に当接かつ結合し得る表面を提供する。略Ｕ字形状の突出部１５２の後方部分１５８は、各々、前方部分１５６の側部よりも広幅な離間距離のセグメントを提供する。略Ｕ字形状の突出部１５２の後方部分１５８は、たとえば、図２および図４に示された如く、外方延在唇部１６２を備えたフランジ１６０を含む。一体的に考慮されたとき、フランジ１６０および外方延在唇部１６２は、摺動係合のための特定構造を提供する。従って、略Ｕ字形状の突出部１５２は、略Ｕ字形状の保持構造１３６の上側唇部１３８の下方かつ受容溝１４０内へと取外し可能に摺動挿入されて係合され得る構造を提供する。この形式の継手は、所謂る「舌部及び溝」の保持部を効果的に提供する。従って、略Ｕ字形状の保持構造１３６および略Ｕ字形状の突出部１５２は、複数台の輸液ポンプ１００が、これらの特定構造を互換的に含むとき、各ポンプが、係合された舌部及び溝の構造にて相互に重ねて垂直に積み重なることを可能とし得る。
【００２８】
図２において、ハウジング１１２の後部、各側部、および、底部上に見られ得る他の特定構造としては、（更に詳細に記述されるであろう）バッテリ蓋体カバー１６４、電力ソケット１６６、イーサネット（登録商標）・コネクタ１６８、ＵＳＢポート１７０、および、支持構造もしくは「取付け用脚部」１７２が挙げられる。概略的に、バッテリ蓋体カバー１６４は、シリンジ・ポンプ１００のハウジング１１２内に配置された（図７に概略的に示された）バッテリ１７４にアクセスすべく取外され得るプレートを提供する。バッテリ蓋体カバー１６４は、概略的に形状が矩形であるが、取り外し可能な締結具１７６を収容すべく湾曲された周縁部の特定構造を含む。そのアクセスおよび取り外しの容易さの故に、バッテリ１７４は、取り外しおよび交換を目的とする別体的なＦＲＵであると特性記述され得る。
【００２９】
たとえば、図２および図４を再び参照すると、電力ソケット１６６は、シリンジ・ポンプ１００の後側ハウジング・アセンブリ１２４の背面に配置される。電力ソケット１６６は、電力コードと直接的に、または代替的に、ポンプ・ラック上に収容された電力コネクタと結合し得る。電力コードに対する接続の場合、電力ソケット１６６は、電力コードが、シリンジ・ポンプ１００に対する作用的係合から偶発的に引き抜かれることを阻止する機械的な繋止／拘束用の特定構造を提供する。これは、電力コードが僅かにもしくは偶発的に引張られ、もしくは打突された場合に電力喪失を阻止すべく有用であり得る。電力ソケット１６６はまた、ユーザが典型的には確実な整列のための視認性が限られるラック上で、電力コネクタに対する結合の対処を支援するテーパ付きの斜面構造も有している。
【００３０】
雄型および雌型のコネクタ部分は、雄型および雌型の構成要素同士の連結が、特定の配向においてのみ為され得る如く、キー形成され、または、別様に配向が制限もしくは制御され得る。このことは、たとえば、（＋）を（＋）に対し、且つ、（−）を（−）に対するなど、各ピンの適切な整列を支援する上で有用であり得る。上記電力コード・コネクタは、それが不適切な配向では接続され得ない様に、キー形成され得る。特に、上記電力コード・コネクタは、幾つかの実施例においては、「直角」コネクタであることで、可能的な絡まりを減少するロー・プロファイルをもたらし得る。
【００３１】
ハウジング１１２の側面上には、（この例においては、シリンジ・ポンプ１００の背面下部の近傍に）イーサネット（登録商標）・コネクタ１６８が配置される。この配置は、データ転送のためにイーサネット（登録商標）を利用する他のポンプ、ラックまたは通信デバイスに対する便利なアクセスを提供する。イーサネット（登録商標）・コネクタ１６８は、「保護」（または「ＩＰＸ」）等級であり得ると共に、カバーを必要としない。同様にＵＳＢポート１７０は、（この例においてはスピーカ１２８の近傍にて）ハウジング１１２の側面上に配置される。ＵＳＢポート１７０は、カバーを有し得ると共に、種々の周辺デバイスおよびアプリケーションと共に使用される所謂る「ＯＴＧ（ｏｎ  ｔｈｅ  ｇｏ）」対応のコネクタであり得る。
【００３２】
同様に、シリンジ・ポンプ１００の積み重ね可能でユーザ・フレンドリな設計態様を提供するために、一群の支持構造または取付け用脚部１７２が設計される。ポンプ１００のこの例において、取付け用脚部１７２は、２つの前部取付け用脚部１７２ａおよび２つの後部取付け用脚部１７２ｂを含む。前部取付け用脚部１７２ａはハウジング１１２の側部の延長部であり、且つ、後部取付け用脚部１７２ｂは、ハウジング１１２の背面を上昇させるべく作用する構成要素である。後部取付け用脚部１７２ｂは、略Ｕ字形状の突出部１５２が、ポンプ１００と干渉せずに、または、それの物理的安定性に対する障害を引き起こさずに、下方に延在し得る如く、ハウジング１１２の底部部分１５４に対する間隙を提供する。同様に、概略的に、各取付け用脚部１７２は、積み重ねられた各輸液ポンプが相互に干渉しない様に位置決めされる。
【００３３】
図１〜図６には、シリンジ受容器１１６およびシリンジ・プランジャ駆動器アセンブリ１１４も示される。シリンジ受容器１１６は、シリンジ・ポンプ１００の前部を踏破して延在する長寸キャビティを含む。シリンジ受容器１１６は、ユーザ・インタフェース１１０のディスプレイ画面１１８の直下に配置される。ユーザ・インタフェース１１０の下方におけるシリンジ受容器１１６の配置は、多くの観点において有用である。ユーザ・インタフェース１１０の下方におけるシリンジ受容器の配置は、漏出物、流体滴下物、または、他の不都合な汚染物質が、ディスプレイ１１８、キー・パッド１２０、または、他の可能的に破損し得る電子的および機械的な特定構造と干渉することを阻止する助けとなる。この配置において、シリンジ受容器１１６は、シリンジの装填、装填解除、または、操作に起因する破損の場合において、シリンジ・ポンプ１００の残部から幾分か空間的に分離される。
【００３４】
シリンジ受容器１１６は、シリンジが自身上に作用的に位置決めされるシリンジ棚部１７８を収容する。シリンジ受容器１１６はシリンジ・ポンプ１００において、装填されたシリンジが容易に実質的に視認可能である如くポンプ１００の前方に対して開かれたままのキャビティを効果的に提供する。ディスプレイ画面１１８はシリンジ受容器１１６の上方に配置されるので、画面１１８は概略的に、ポンプ１００におけるシリンジの存在により視覚的に遮られない。同時に、この、重なり合わずに視覚的に遮らない上記受容器および画面の整列は、ポンプ１００の作動中にシリンジおよびディスプレイ画面１１８の両方の良好な視認性を提供する。
【００３５】
シリンジ受容器１１６は、シリンジ・プランジャ駆動器アセンブリ１１４の近傍の端部と逆側に配置された一端にて、注入ライン保持通路１８０（または管材案内部）を更に含む。保持通路１８０は、注入ラインが通過し得る狭幅セグメントを提供する。詳細には、保持通路１８０は、注入ラインが当接してまたは周りにループ巻回され得る構造的特徴を提供する。従って、保持通路１８０は、シリンジ・ポンプ１００からの注入ラインの偶発的な引き離しに対する抵抗を提供する。注入ラインの斯かる引離し作用は、注入ラインがシリンジ受容器１１６内に配置されたシリンジに対して接続される箇所においてではなく、保持通路１８０からの抵抗に遭遇する。
【００３６】
たとえば、図１および図３に示された如く、シリンジ・プランジャ駆動器アセンブリ１１４は、実質的に、シリンジ受容器１１６の端部に配置される。プランジャ駆動器アセンブリ１１４は、他の構成要素の中でも、プランジャ駆動器１８２、バンパ１８４、トリガ１８６、および、フリッパ１８８を含む。プランジャ駆動器アセンブリ１１４は、ポンプ１００におけるシリンジ内のプランジャを機械的に押圧することにより、シリンジに対して流体接続された注入ラインを通して制御された速度にて注入液を送給することにより、患者に対するシリンジからの所定量もしくは回分量の注入液の送給を制御する役割を果たす。更に詳細には、送りネジに対して作用的に連結されたプランジャ駆動器１８２をシリンジ受容器１１６の方向に移動させる送りネジを、モータ１９０が回転させる。この移動は次に、受容器１１６内に配置されたシリンジのバレル内のプランジャを押圧する。シリンジ・プランジャを前方に押圧することは、シリンジ内の回分量の注入液を、シリンジから、注入ライン内へ、且つ、最終的には患者に至るまで強制移動させる作用がある。
【００３７】
ポンプ１００の図示例において、プランジャ駆動器アセンブリ１１４のバンパ１８４は、シリンジ受容器１１６の逆側における、プランジャ駆動器アセンブリ１１４の概略的に丸み付けされた端部であり得る。バンパ１８４は、プランジャ駆動器１８２の中央部分よりも概略的に大径であると共に、把持することが比較的に容易で人間工学的である耐久性材料で作成される。バンパ１８４は、プランジャ駆動器アセンブリ１１４の片手操作を支援するために作成される。付加的に、バンパ１８４の「パッド入り」構成は、偶発的な衝撃に対する一定の抵抗を提供する。従って、そのサイズおよび材料に基づき、プランジャ駆動器１８２は、たとえば、シリンジ・ポンプ１００の落下もしくは誤操作の場合おけるプランジャ駆動器アセンブリ１１４に対する一切の偶発的な衝撃の吸収を支援すべく設計される。
【００３８】
トリガ１８６は、プランジャ駆動器アセンブリ１１４の背面に位置される。トリガ１８６は、スプリング負荷されると共に、トリガは、トリガ１８６が押圧されたときにプランジャ駆動器アセンブリ１１４が比較的に自由に横方向に摺動し得る如く、プランジャ駆動器アセンブリ１１４をロック状態から解除すべく作用する。たとえば、図３に示された如く、フリッパ１８８は、シリンジ受容器１１６と、プランジャ駆動器アセンブリ１１４の主要プランジャ駆動器区画１８２との間に配置される。フリッパ１８８は概略的に、シリンジ内のプランジャの末端の親指押圧部分上に延在して、ポンプ１００内にシリンジを着脱自在に固定する湾曲アームである。同様に、プランジャ駆動器アセンブリ１１４の近傍には、ユーザ・インタフェース１１０のキー・パッド１２０の下方に配置されたバレル挟持レバー１９２も在る。バレル挟持レバー１９２は、ポンプ１００に着脱自在に固定されたシリンジのバレルの回りに、拘束部材を更に係合させ、または、係合解除すべく操作され得る。
【００３９】
概略的に、バンパ１８４、トリガ１８６、フリッパ１８８およびバレル挟持レバー１９２は、シリンジ受容器１１６内へのシリンジの装填操作、および、それからの装填解除操作において使用される。シリンジ・ポンプ１００内へのシリンジの装填操作の場合、最初の段階は、シリンジ受容器１１６から離間させて、プランジャ駆動器アセンブリ１１４を外方に延在させることである。このことを達成するために、ユーザは、自身の掌を用いてプランジャ駆動器アセンブリ１１４の端部上のバンパ１８４を操作かつ把持すると共に、同じ手の指によりプランジャ駆動器アセンブリ１１４の後面側におけるトリガ１８６を押圧する。トリガ１８８を押圧すると、プランジャ駆動器１８２はその繋止位置から解放されると共に、プランジャ駆動器１８２が受容器１１６から外方に離間して摺動することが許容される。従って、プランジャ駆動器１８２は最初に、シリンジのシリンジ・バレルに適した所望距離だけ摺動される。次に、シリンジ・バレルの端部が、バンパ１８４の逆側の箇所であるプランジャ駆動器アセンブリ１１４の内側表面に対して当接する如く、シリンジ受容器１１６内にシリンジが載置される。シリンジに対して接続された注入ラインは、プランジャ駆動器アセンブリ１１４の逆側に配置された、シリンジ受容器１１６の端部における保持通路１８０に挿通される。フリッパ１８８は、シリンジ・バレル内のプランジャの親指押圧部上へと下降すべく回転され、且つ、バレル挟持レバー１９２は、シリンジ・バレルが所定位置に更に保持される様に操作される。次にユーザは、ユーザ・インタフェース１１０を操作して、シリンジ・ポンプ１００を所望様式で制御し得る。
【００４０】
図７は、ハウジング１１２により部分的または全体的に覆い隠された幾つかの構成要素を含む、シリンジ・ポンプ１００の概略的システム図を示している。図１〜図６も参照すると、図７のシステム図は、ユーザ・インタフェース１１０、コントローラ１９４、モータ１９０、駆動要素（駆動列）１９６、電力ソケット１６６、バッテリ１７４、電気回路要素１９８、イーサネット（登録商標）・コネクタ１６８、ＵＳＢ入力ポート１７０、スピーカ１２８、および、プランジャ駆動器ヘッド・センサ１９９を含む、シリンジ・ポンプ１００の概略図を示している。
【００４１】
上記で論じられた如く、ユーザ・インタフェース１１０は、たとえば、医師またはポンプ・プログラマからのシリンジ・ポンプ１１０に対するデータ入力の情報源の役割を果たす。図７において詳細には示されないが、ユーザ・インタフェース１１０は、タッチ画面ディスプレイ１１８、キー・パッド１２０、または、これらの組み合わせ、または、他のユーザ・インタフェース技術を含み得ることが認識かつ理解されるべきである。
【００４２】
この例において、コントローラ１９４は、上記ユーザ・インタフェースに対して接続されると共に、コントローラは、ポンプ１００が所望様式で制御されることを確実とする役割を果たす。コントローラ１９４は、ハウジング２１２内に配置されると共に、モータ１９０および駆動要素１９６の動作を制御する。コントローラ１９４は、ひとつ以上のプロセッサを含み得る。コントローラ１９４は更に、幾つかの実施例においては、メモリを含み得る。
【００４３】
モータ１９０は、概略的に、コントローラ１９４およびシリンジ・ポンプ要素に対して接続される。モータ１９０は、幾つかの実施例においては、プランジャ駆動器アセンブリ１１４内に含まれ得る。モータ１９０は、駆動列１９６（または駆動要素）にプランジャ駆動器アセンブリ１１４の移動を行わせる基本手段である。駆動列１９６は、ポンプ１００内に作用的に設置されたシリンジからの流体の注入を機械的に行わせる役割を果たす、ハウジング１１２内に少なくとも部分的に配置された一群の駆動要素であり得る。
【００４４】
上記シリンジ・ポンプ・システムは更に、電力ソケット１６６に対して接続されたコードを介した、または、電力ソケット１６６に対して接続されたラックにおけるコネクタを介した、電力ラインを含んでいる。バッテリ１７４は、輸液ポンプ１００に対し、別の代替的な電源を提供する。一実施例において、バッテリ１７４は、後部バッテリ・パネル１６４の下方にて、ハウジング１１２内に全体的に囲繞される。
【００４５】
ハウジング１１２内には、コントローラ１９４に対し、または、システム内で、命令を伝達もしくは実施するために必要とされる種々の電気的要素および電気回路要素１９８が配置される。シリンジ・ポンプ１００に対しては、イーサネット（登録商標）・コネクタ１６８またはＵＳＢ入力ポート１７０の如き入力部を介して、種々の外部デバイスも接続され得る。
【００４６】
スピーカ１２８は、命令、警報、および、情報通信などの全範囲の音響出力を提供し得る。プランジャ駆動器ヘッド・センサ１９９および他のセンサも、システムの一部である。プランジャ駆動器センサ１９９は、たとえば、シリンジの特性解析、閉塞の検出、および、プランジャ位置の決定の如き作業に対して種々の測定を行い得る。コントローラ１９４は、これらのセンサ１９９および他の構成要素から獲得された情報を利用し、ポンプ１００の設定および操作における通信および意思決定を支援する。
【００４７】
ＬＶＰ
図８〜図１３を参照すると、ＬＶＰ２００の例が示される。ＬＶＰ２００は概略的に、ユーザ・インタフェース２１０、ハウジング２１２、および、アセンブリ受容器２１３を含む。内部的であり、または、ハウジング２１２により部分的もしくは全体的に覆い隠される幾つかを含む、ＬＶＰ２００の種々の他の特定構造は、図１４のＬＶＰシステム図に関して後に記述される。
【００４８】
概略的に、図８〜図１４におけるＬＶＰ２００、および、上述された図１〜図７におけるシリンジ・ポンプ１００の大部分は、同様であるか同一である。従って、以下の考察において別様に区別されなければ、図１〜図７における「１００番台」の参照番号を有する構成要素の考察は、概略的に、図８〜図１４において「２００番台」の対応参照番号を有する同様の構成要素に対応かつ適用されると見做されるべきである（たとえば、図１におけるキー・パッド１２０の考察は、図８におけるキーパッド２２０に対しても適用される）。
【００４９】
図８に見られる如く、ユーザ・インタフェース２１０は概略的に、ディスプレイ画面２１８およびキーパッド２２０を含む。ユーザ・インタフェース２１０、ディスプレイ画面２１８、および、キーパッド２２０は、夫々、ユーザ・インタフェース１１０、ディスプレイ画面１１８、および、キー・パッド１２０に対応する。タッチ画面および機械的ボタンに対する種々の構成が企図される。
【００５０】
ハウジング２１２は、ハウジング１１２に対応すると共に、概略的に、ＬＶＰ２００の内部要素を囲繞する保護外殻体を形成する。幾つかの実施例において、ユーザ・インタフェース２１０は、ハウジング２１２の一部と見做され得る。ハウジング２１２は、概略的に前側ハウジング・アセンブリ２２２および後側ハウジング・アセンブリ２２４を備えると特性記述され得る。
【００５１】
前側ハウジング・アセンブリ２２２は概略的に、ＬＣＤディスプレイ画面２１８、キーパッド２２０、および、ユーザ・インタフェース２１０の近傍における他の構成要素を囲繞する。前側ハウジング・アセンブリ２２２は、大部分がシリンジ・ポンプ１００の前側ハウジング・アセンブリ１２２と同一であるが、アセンブリ受容器２１３およびユーザ・インタフェース２１０の回りにおける前側ハウジング・アセンブリ２２２の形状は、アセンブリ受容器２１３の各特定構造が適切に収容される様に、別様に形状化される。
【００５２】
後側ハウジング・アセンブリ２２４は、概略的に後側ハウジング・アセンブリ１２４と一致する。後側ハウジング・アセンブリ２２４上の特定構造としては、把持部２３２、中央凹所２３４、および、ハウジング２１２の頂部部分２３０内に画成された略Ｕ字形状の保持構造２３６が挙げられる。これらの特定構造もまた、シリンジ・ポンプ１００に関して考察されたものと同様である。中央凹所２３４と受容溝２４０とを囲繞する略Ｕ字形状の上側唇部２３８は、後面２４２から内方に延在する。この配置によれば、別のポンプの突出部を受容すると共に、Ｕ字形状の保持構造２３６を把持部２３２として把持するための特定構造が提供される。
【００５３】
シリンジ・ポンプ１００におけるのと同様に、ＬＶＰ２００の把持部２３２は、ハウジング２１２と一体化されると共に、略Ｕ字形状の保持構造２３６の一部である。同様に、ハウジング２１２の底部部分２５４上には、略Ｕ字形状の突出部２５２が配置されると共に、突出部は、シリンジ・ポンプ１００の上記略Ｕ字形状の突出部と同様である。シリンジ・ポンプ１００の構成におけるのと同様に、Ｕ字形状の突出部２５２は、前方部分２５６および後方部分２５８で構成される。後方部分２５８は、別のポンプの拘束溝２４０と係合すべくサイズ設定されたフランジ２６０および外方延在唇部２６２を含む。従って、複数台のＬＶＰ２００および複数台のシリンジ・ポンプ１００は、容易に積み重ねられて相互に結合され得る。
【００５４】
特に図９を参照すると、ハウジング２１２の後面２２４、各側部２２６、および、底部部分２５４上に視認され得る特定構造としては、バッテリ蓋体カバー２６４、電力ソケット２６６、イーサネット（登録商標）・コネクタ２６８、ＵＳＢポート２７０、および、取付け用脚部２７２が挙げられる。これらの構成要素の各々は、シリンジ・ポンプ１００の同様の部材に対応する。
【００５５】
図８〜図１３には、アセンブリ受容器２１３も示される。アセンブリ受容器２１３は、ＬＶＰ２００の前部を踏破して延在する長寸キャビティを含む。アセンブリ受容器２１３は、ユーザ・インタフェース２１０のディスプレイ画面２１８の直下に配置される。アセンブリ受容器２１３は、各端部の外方における通路２５１、ならびに、中央通路を通り、患者への注入を実施する注入ラインが貫通延在すると共に作用され得るという中央通路を含む。更に、アセンブリ受容器２１３は、患者への注入ラインの管材フレーム・アセンブリが着脱自在に取付けられて蠕動圧送機構のフィンガにより作用されることを許容する特定構造を含む。
【００５６】
図８〜図１３における概観において、アセンブリ受容器２１３の内部特定構造は、枢着された蓋体２５３により大部分が遮られる。蓋体２５３は更に、蓋体２５３を描かれた閉じ位置に固定すべく中央に配置されたラッチ・レバー２５５を含む。ＬＶＰ２００が使用されるとき、蓋体２５３は先ず、開放配向に載置される。アセンブリ受容器２１３によれば、注入ラインに対して結合された管材フレーム・アセンブリが受容される。管材フレーム・アセンブリのこの装填は、片手動作を介して行われ得る。次に、蓋体２５３は、ＬＶＰ２００の底部前縁２５９において（たとえば、図１３に示された）ヒンジ２５７の回りで回転して閉じられ得る。次に、蓋体用ラッチ・レバー２５５は、図８〜図１３に示された如く、掛止解除位置から掛止位置まで移動され得る。この説明の目的で、アセンブリ受容器２１３内におけるＬＶＰ要素の作用的な細部は、詳細には考察されない。
【００５７】
たとえば、図１０に示された如く、アセンブリ受容器２１３は、両端部にて注入ライン保持通路２５１を含む。各保持通路２５１（すなわち、管材案内部）は、注入ラインが通過し得る狭幅セグメントを提供する。蓋体２５３が閉じられる前もしくは後であり得る任意の適切な時点において、（図８〜図１３においては示されない）上流および下流の管材は、各保持通路２５１内へと手動にて押し込まれ得る。
【００５８】
たとえば、受容器２１３内に着脱自在に固定され得る上述の管材フレーム・アセンブリの如き注入システムの投与設定に対する種々のアセンブリおよび方法は、「輸液ポンプ・システムの投与設定のためのアセンブリおよび方法」と称されると共に国際公開第２０１７／２１８９２７Ａ１号として公開されたＡｄａｍｓ等の国際出願ＰＣＴ／ＵＳ２０１７／０３７９２９号において考察されており、これは、言及したことにより本明細書中に援用される。
【００５９】
図１４は、ハウジング２１２により部分的にまたは完全に遮られる幾つかの構成要素を含むＬＶＰ２００の概略的システム図の例を示している。システム図は、ユーザ・インタフェース２１０、コントローラ２９４、モータ２９０、駆動要素２９６、電力ソケット２６６、バッテリ２７４、電気回路要素２９８、イーサネット（登録商標）・コネクタ２６８、ＵＳＢ入力ポート２７０、スピーカ２２８、および、アセンブリ受容器センサ２９９を含む、ＬＶＰ２００の概略図を示している。
【００６０】
上記で論じられた如く、ユーザ・インタフェース２１０は、たとえば、臨床医もしくはポンプ・プログラマからのシリンジＬＶＰ２００に対するデータ入力の情報源の役割を果たす。図１４においては詳細には示されないが、ユーザ・インタフェース２１０は、タッチ画面ディスプレイ２１８、キー・パッド２２０、または、これらの組み合わせ、または、他のユーザ・インタフェース技術を含み得ることが認識かつ理解されるべきである。
【００６１】
この例において、コントローラ２９４は、上記ユーザ・インタフェースに対して接続されると共に、コントローラは、上記ポンプが所望様式で制御されることを確実とする役割を果たす。コントローラ２９４は、ひとつ以上のプロセッサを含み得る。コントローラ２９４は更に、幾つかの実施例においては、メモリを含み得る。
【００６２】
モータ２９０は、概略的に、上記コントローラおよびＬＶＰ要素に対して接続される。モータ２９０は、幾つかの実施例において、ステッパ・モータであり得る。この例において、モータ２９０は、駆動要素２９６に、管材に対して（たとえば図８に示された如き）アセンブリ受容器２１３内でフィンガの運動を行わせる基本手段である。
【００６３】
図１４におけるＬＶＰシステムの例は更に、電力ソケット２６６に対して接続されたコードを介した、または、電力ソケットに対して接続されたラックにおける接続部材を介した、電力ラインを含んでいる。バッテリ２７４は、ＬＶＰ２００に対し、別の代替的な電源を提供する。バッテリ２７４は、（たとえば、図９に示された如く）後部バッテリ蓋体カバー２６４の下方にて、ハウジング２１２内に全体的に囲繞される。
【００６４】
再び図１４を参照すると、ハウジング２１２内には、コントローラ２９４に対し、または、システム内で命令を伝達もしくは実施するための種々の電気的要素および電気回路要素２９８が配置される。ＬＶＰ２００に対しては、イーサネット（登録商標）・コネクタ２６８またはＵＳＢポート２７０の如き入力部を介して、種々の外部デバイスも接続され得る。
【００６５】
スピーカ２２８は、命令、警報、および、情報通信などの全範囲の音響出力を提供し得る。アセンブリ受容器センサ２９９および他のセンサも、システムの一部である。アセンブリ受容器センサ２９９は、たとえば、特定の管材フレーム・アセンブリに関する情報の感知の如き作業に対して種々の測定を行い得る。これは、特定の管材フレーム・アセンブリが使用される注入の経路の感知を含み得る。各センサは、光学的センサ、ＲＦＩＤ読取器などであり得る。コントローラ２９４は、これらのセンサ２９９および他の構成要素から獲得された情報を利用し、ポンプ１００の設定および操作における通信および意思決定を支援し得る。
【００６６】
上述の如く、シリンジ・ポンプ１００およびＬＶＰ２００は、ポンプ要素が容易に更新および交換されることを可能とする複数の個別的なＦＲＵを利用する。ＦＲＵ要素は、ポンプ製造の容易さ、ならびに、簡素な保守および交換作業を実現する。本明細書中で企図された種々のＦＲＵ構成は、考察された両方の形式の輸液ポンプに対して互換的かつ共通であり得る。概略的に、ＦＲＵは３つの群に分類され得る。すなわち、損耗要素（破損または寿命終了などにより交換される必要がある構成要素）と、高速移動技術（通信、Ｗｉ−Ｆｉ、ブルートゥース（登録商標）、ＵＳＢ、ディスプレイ）と、機能的アップグレード（システム・セキュリティ、ＰＣＡ、ＴＣＩなど）。ＦＲＵは、時には、且つ、インタフェースを備えたモジュールであることにより、カテゴリ間で互換的であり得る。たとえば、損耗要素の性能を高めるために、ユーザは、その機能性をアップグレードすることがある。たとえば、破損もしくは損耗要素の要件を満たさない圧送機構は、本質的に従前の損耗要素に置き換わる所望機能を有する高性能のまたは機能付加されたＦＲＵにより、「アップグレード」され得る。ポンプにおいて、ポンプにより高性能ＦＲＵが認識され得ると共に、ポンプの動作パラメータは、新たに設置されたＦＲＵと互換的であるべく自動的に調節され得る。付加的に、ポンプはその構成の関連情報を有することから、それは本質的に、それ自体の構成を、たとえばＤＭＲ（デバイス・マスター・レコード）に経過記録するために報告を行う。
【００６７】
一例において、両方のシリンジ・ポンプ１００およびＬＶＰ２００は、ポンプの後側部分を構成する共通のＦＲＵを有する。この共通ＦＲＵは、考察された両方の形式の輸液ポンプに対するハウジングおよび後部要素の相当部分を含んでいる。この構成要素は、図１５においてＦＲＵ１０１として示されると共に、図１〜図１４の対応する参照番号および部材からも理解され得る。特に、ＦＲＵ１０１は主として、輸液ポンプに対する後側ハウジング・アセンブリ１２４もしくは２２４を含んでいる。後側ハウジング１２４もしくは２２４は、頂部部分１３０もしくは２３０、および、底部部分１５４もしくは２５４の一部を含んでいる。頂部部分１３０もしくは２３０は、一体成形された把持部構造１３２もしくは２３２、および、一組の受容溝１４０もしくは２４０を有する。底部部分１５４もしくは２５４は、別の後側ハウジングにおける（１４０または２４０の如き）受容溝に対する取外し可能な結合のための突出部１５２もしくは２５２を有する。後側ハウジング１２４もしくは２２４は、電力ソケット１６６もしくは２６６、および、イーサネット（登録商標）・コネクタ１６８もしくは２６８を含み得る。後側ハウジング１２４もしくは２２４は、（プランジャ駆動器アセンブリ１１４およびシリンジ受容器１１６、または、ＬＶＰのモータおよび駆動要素、および、アセンブリ受容器２１３の如き）一群の輸液ポンプ・システム要素と、（コントローラ１９４もしくは２９４の如き）制御システムと、（ディスプレイ画面１１８もしくは２１８の如き）ＬＶＰまたはシリンジ・ポンプのディスプレイとに対し、互換的に結合する。
【００６８】
幾つかの実施例において、ＦＲＵは、ポンプの複数の構成要素または複数群の構成要素を含み得る。斯かるＦＲＵの例としては、後側ハウジング・アセンブリと、モータ、ポンプ、ディスプレイおよびキー・パッドを備えたＬＶＰの前側ハウジングと、ディスプレイおよびキー・パッドを備えたシリンジの前側ハウジングと、ガス・ゲージを備えたバッテリ・パックと、電源と、無線要素と、ＰＣＢボードアセンブリと、ＬＶＰの蓋体と、シリンジ駆動器と、シリンジ・プランジャ・ヘッドと、が挙げられる。
【００６９】
幾つかの実施例において、ＦＲＵは、（付加的な、補足的な、または、予備的な）バッテリ・パック・モジュールを含み得る。同様に、幾つかの実施例において、ＦＲＵは、（可能的には、可搬式の太陽光発電器、風力発電器、または、機械的なクランク形式の発電器である）バッテリ充電もしくは給電モジュールを含み得る。幾つかの実施例においては、軍用に対し、既製バッテリに対するインタフェースが配備され得る。一定の場合、バッテリの充電もしくは給電モジュールは、「接続された」一台以上のポンプと結合され得る。たとえば、積み重ね取り付け体におけるポンプ、および、ヘッドレス・ポンプは、全て、バッテリの充電もしくは給電モジュールと結合され得る。
【００７０】
幾つかの実施例において、ＦＲＵは、（視覚的および／または聴覚的の両方である）警報モジュールを含み得る。特に、警報モジュールは、「接続された」一台以上のポンプと結合され得る。たとえば、積み重ね取り付け体におけるポンプおよびヘッドレス・ポンプは、全て、ひとつの警報モジュールと結合され得る。
【００７１】
幾つかの実施例において、ＦＲＵは、ＰＣＡモジュールと、（ロックボックスの如き）シリンジの保護デバイスと、通信モジュールと、または、接続された積み重ね取り付け体全体をロック解除し得る（指紋、音声、顔認識などの生体認証入力を用いる如き）ユーザ認証モジュールと、を含み得る。
【００７２】
幾つかの実施例において、電力および通信のＦＲＵは、ラックに対する代替物または代理体に関連する。幾つかの実施例においては、ブルートゥース（登録商標）またはＷｉ−Ｆｉを有するＦＲＵが企図される。幾つかの実施例において、ＦＲＵは、（有線または無線の）通信および／または電力のデイジー・チェーン接続であり得る。幾つかの場合、ＦＲＵは、電力のセレクタもしくはアダプタのモジュールを含む。たとえば、ローカルの（固有的な）電源、または、他のデバイスに対して、もしくは、其処において通常的に使用される電源（ＡＣ／ＤＣ電力）に対する適応のためのモジュールである。種々の実施例において、ＦＲＵはロックされ得る。
【００７３】
他の企図実施例においては、各ポンプ自体がＦＲＵであり得る。たとえば、このことは、シリンジ・ポンプ、ＬＶＰおよびヘッドレス・シリンジを備える集合的な圧送装置において事実であり得る。幾つかの実施例において、ＦＲＵは、故障したデバイスのプログラミングをコピーし得る。「医療デバイス構成の複製方法」と称されて国際公開第２０１８／０２２３５５Ａ１号として公開されたＤｉｅｚ等の国際出願ＰＣＴ／ＵＳ２０１７／０４２６３３号を参照されたい。参照により本明細書中に援用される。
【００７４】
図１６Ａおよび図１６Ｂを参照すると、各ポンプのラック式および積み重ね式の機能を描く、複数台の輸液ポンプ装置が示される。詳細には、図１６Ａは、複数台のシリンジ・ポンプ１００が可動ラック３１０上に取付けられるというポール取付け式構造３００を描いている。幾つかの実施例において、ラック３１０は、描かれた如く、８台の輸液ポンプ１００を保持すべく設計される。ラック３１０は、ラックの転倒の阻止を支援する、脚部３２０を備えた広幅の車輪付き基部を有する。更に、ラック３１０の側部から延在するアーム３４０を介し、ＩＶポール３３０が取付けられる。ＩＶポール３３０は、ＩＶバッグの如き、取付けられた流体もしくは注入液の任意の単一もしくは複数のバッグの重量が、支持され、且つ、ラック３１０に対する不安定性を引き起こさない様に、ラック３１０の脚部３２０の上方に配置される。幾つかの実施例において、ラック３１０は更に有用であり得る、と言うのも、それは、ＡＣ電源、スペース管理、および、統合されたイーサネット（登録商標）接続を提供し得るからである。
【００７５】
ラック３１０は、複数台のシリンジ・ポンプ１００の如き、複数台の輸液ポンプの個別的な設置および取外しを許容する。この個別化された取付け機能は、斯かる複数台のポンプに対し／から、適切なシリンジ・ポンプ１００または他の適切な輸液ポンプが容易に設置または取外され得るを意味する。この融通性は、複数台の輸液ポンプの各群の問題解決および再構成に対して特に有用である。
【００７６】
図１６Ａにおけるラック式構造３００の垂直にグループ化された構造は、図１６Ｂの積み重なった取り付け構造４００とも類似し得る。詳細には、図１６Ｂのこの例において、複数台のシリンジ・ポンプ１００は、垂直に、相互に直上もしくは直下に積み重ねて視認され得る。この形式の積み重ねは、たとえば、幾つかの実施例において、ポール取付け部材を利用し得る。たとえば、頂部のシリンジ・ポンプ１００が所定位置に固定されたとき、それの下側にて、次続的なシリンジ・ポンプ１００は、両方のポンプのシリンジ・ポンプ・ハウジング１１２に一体化された取付け用特定構造により固定され得る。特に、且つ、上述された如く、頂部のシリンジ・ポンプ１００の底部における略Ｕ字形状の突出部１５２は、下側のシリンジ・ポンプ１００の略Ｕ字形状の保持構造１３６の受容溝１４０が、外方延在唇部１６２上を摺動されることを許容する。Ｕ字形状の保持構造１３６は、Ｕ字形状突出部１５２の前方部分１５６が、下側のシリンジ・ポンプ１００の上側唇部１３８の下側に当接するまで、摺動される。複数台のシリンジ・ポンプ１００のこの積み重なった取り付け構造の特徴は、各ユーザ・インタフェース・ディスプレイ画面１１８、ならびに、対応するシリンジ１０２が、容易に同時的に視認され得ることである。これにより、医師に対しては、部屋の端から視認されたとしても、全てのシリンジ・ポンプの状況を一瞥にて迅速に視認する能力が許容される。
【００７７】
図１６Ａおよび図１６Ｂは、ラック式構造および積み重なった取り付け構造における複数台のシリンジ・ポンプ１００を示しているが、複数台のＬＶＰ２００の如き、他の形式の輸液ポンプもまた、この様にしてラック式及び積み重ね式に取り付けられ得ると理解されるべきである。従って、一緒にラック式に取り付けられ、または積み重ねられた、全てがシリンジ・ポンプ１００、全てがＬＶＰ２００、または、異なる種類のポンプの併用物のいずれかの、ラック取り付け体または積み重ね取り付け体が可能である。
【００７８】
図１７を参照すると、シリンジ・ポンプ１００に対して外部バックアップ・バッテリ・パック５０１が取付けられたという輸液ポンプ構成５００の斜視図が示される。外部バックアップ・バッテリ・パック５０１は、ＡＣ電源に対するアクセスが制限された場合に使用され得る。たとえば、更に遠隔的な地域において、または、搬送車両において、一群のバッテリ電源を配備すると、殆ど任意の場所にて長い時的間隔に亙り輸液ポンプを作動させるために必要な融通性が提供され得る。企図された外部バックアップ・バッテリ・パック５０１は、ハウジング１１２の背面における電力ソケット１６６に差込まれてシリンジ・ポンプ１００に対して電力を供給するコードを有し得る。外部バックアップ・バッテリ・パック５０１は、その底部表面上に、本明細書中に記述された輸液ポンプ１００および２００の底部上における略Ｕ字形状の突出部１５２および２５２と同様である、バッテリ・パック５０１の略Ｕ字形状の突出部も有し得る。従って、この略Ｕ字形状の突出部は、ポンプ１００もしくは２００の頂部上の略Ｕ字形状の保持構造１３６もしくは２３６と結合し得る。この構造は、ポンプ１００もしくは２００およびその電源に対する確実で耐久性のある結合を提供する。更に、外部バックアップ・バッテリ・パック５０１の電力が低くなれば、単に、別の同様のユニットが、それに置き換わると共に、シリンジ・ポンプ１００の頂部部分に対して同様に取付けられ得る。
【００７９】
図１８は、一群の積み重ねられた「ヘッドレス」ＬＶＰ６１１に対して結合されたＬＶＰ２００を含む一群の輸液ポンプを含む輸液ポンプ構成６００の実施例を描いている。概略的に、ＬＶＰ２００は、図８〜図１４において記述されたのと同様のＬＶＰを描いている。このＬＶＰ２００は、他の複数台の「ヘッドレス」ＬＶＰ６１１に対する積み重なった取り付け構造にて示される。これらのＬＶＰ６１１は、それらが、ＬＶＰ２００のユーザ・インタフェース２１０を含まず、サイズが更にコンパクトであるという意味において「ヘッドレス」である。これらのヘッドレスＬＶＰ６１１は、（もしラック上であれば、ラック式に取り付けされた）積み重なった取り付け構造が構築されると共に、構成が、積み重ねられた（またはラック式に取り付けされた）一群の輸液ポンプの圧送動作を制御するひとつのユーザ・インタフェース２１０に依存し得る通信にて作用的に結合されたときに、可能とされる。各ポンプにおける比較的に更に高価なユーザ・インタフェース要素を含まない斯かる複数台の「ヘッドレス」ＬＶＰを構築すると、ポンプ製造に対して相当のコスト節約が実現され得る。実施例において、複数台の「ヘッドレス」ポンプは、ブルートゥース（登録商標）または他の無線通信を介して相互に通信し得る。複数台の「ヘッドレス」ポンプはまた、付加的もしくは代替的に、相互に対して結線もされ得ると共に、たとえば、ＵＳＢまたはイーサネット（登録商標）・ポートを介して通信し得る。
【００８０】
ヘッドレスＬＶＰ６１１は各々、ＬＶＰ２００に対して記述されたものと同様に、それらの頂部表面上の略Ｕ字形状の保持構造２３６、および、底部表面上の略Ｕ字形状の突出部２５２を含み得る。従って、各ポンプは、図１６Ａおよび図１６Ｂにおける構造３００および４００と同様である所謂る「舌部／溝」構造にて容易に結合され得る。更に、「ヘッドレス」ポンプは、ＬＶＰに限られない。複数台のシリンジ・ポンプ１００もまた、ポンプの積み重ねもしくはラックにおける幾つかシリンジ・ポンプ１００にユーザ・インタフェースが含まれないという「ヘッドレス」輸液ポンプとして提供され得る。
【００８１】
本開示内容によれば、使用特徴の他の容易さも企図される。たとえば、幾つかの実施例において、ユーザが関与を意図する全てのポンプ要素は、特に色コード化される。本明細書におけるシリンジ・ポンプ１００の例の場合、ユーザ・インタフェースの領域の各々は、視覚的に青色に色コード化される。従って、バンパ１８４、トリガ１８６、キー・パッド１２０、バレル挟持レバー１９２、ＵＳＢポート１７０、イーサネット（登録商標）・コネクタ１６８、捕捉部１４８、および、ポンプ・ラッチ・ボタン１５０は、青色に着色される。ＬＶＰ２００の場合には、ラッチ・レバー２５５、キーパッド２２０、ＵＳＢポート２７０、イーサネット（登録商標）・コネクタ２６８、捕捉部２４８、および、ポンプ・ラッチ・ボタン２５０が青色に着色される。
【００８２】
本開示内容および各図を通し、略Ｕ字形状の保持構造１３６、略Ｕ字形状の保持構造２３６、略Ｕ字形状の突出部１５２、略Ｕ字形状の突出部２５２、および、「略Ｕ字形状」と記述された他の特定構造は、主として非限定的な様式で解釈されるべきであり、且つ、代替的および／または互換的に、単に「Ｕ字形状」と称されることも理解され得る。参照された構成要素は主として、頂部視点または底部視点からのそれらの描写に基づいて理解されるが、「Ｕ字形状」および「略Ｕ字形状」という用語は、主として非限定的な様式で解釈されるべきである。たとえば、上記説明は、ひとつの連続的な主として半円の形状、または、底辺と、それから延在する２つの側辺部材とを有する形状を包含すると理解され得る。「Ｕ字形状」という語句は、底辺と、丸み付けされまたは矩形状とされた交差部を有する２つの側辺要素とを包含し得る。各側辺要素は、平行な、収束する、または、発散する配向にて配設され得る。幾つかの実施例において、「略Ｕ字形状」の構成要素は、単一の底辺箇所において交わることで「Ｖ字」形状を形成する側辺部材を包含するに十分なほど包括的である。他の構成も可能である。従って、対応する請求項の語句は、対応して包括的な解釈様式で判断されるべきである。
【００８３】
本明細書においては、システム、デバイスおよび方法の種々の実施例が記述されてきた。これらの実施例は、例示的にのみ与えられると共に、権利請求された主題の有効範囲を制限することは意図されない。更に、記述されてきた各実施例の種々の特徴は、種々の様式で組み合わされて、多くの付加的実施例をもたらし得ることを理解すべきである。更に、開示された実施例と共に使用されるべく種々の材料、寸法、形状、構成および箇所が記述されてきたが、開示された以外のものが、権利請求された主題の有効範囲を越えずに利用され得る。
【００８４】
当業者であれば、本発明の主題は、上述の任意の個別的な実施例において例示されたよりも少ない特徴を備えて成り得ることを理解し得よう。本明細書中に記述された各実施例は、本発明の主題の種々の特徴が組み合わされ得る様式の網羅的な表現物であることは意味されない。従って、各実施例は、相互に排他的の特徴の組み合わせではなく、寧ろ、当業者により理解される如く、種々の実施例は、異なる個別的な実施例から選択された異なる個別的な特徴の組み合わせを備えて成り得る。更に、ひとつの実施例に関して記述された要素は、別様に言及されなければ、他の実施例において記述されない場合でも、斯かる実施例において導入され得る。
【００８５】
各請求項において、従属請求項は、他のひとつ以上の請求項との特定の組み合わせを参照し得るが、他の実施例は、その従属請求項と他の従属請求項の各々の主題との組み合わせ、または、ひとつ以上の特徴と他の従属もしくは独立請求項との組み合わせも包含し得る。本明細書においては、特定の組み合わせが意図されないことが述べられるのでなければ、斯かる組み合わせが企図される。
【００８６】
上記における言及による文献の一切の援用は、本明細書中の明示的な開示と相反する主題は取入れられない様に、制限される。上記における言及による文献の一切の援用は、文献中に含まれない権利請求範囲は、援用により本明細書中に取入れられない様に、更に制限される。上記における言及による文献の一切の援用は、本明細書中で明示的に取入れられるのでなければ、文献中に提示された一切の定義は、援用により本明細書中に取入れられない様に、更に制限される。
【００８７】
各請求項の解釈に対し、「〜のための手段」または「〜のための段階」という特定の語句が請求項中に記述されるのでなければ、米国特許法第１１２条第（ｆ）項の規定は援用されるべきでない。
【図１】
2020527417.tif 000003
【図２】
2020527417.tif 000004
【図３】
2020527417.tif 000005
【図４】
2020527417.tif 000006
【図５】
2020527417.tif 000007
【図６】
2020527417.tif 000008
【図７】
2020527417.tif 000009
【図８】
2020527417.tif 000010
【図９】
2020527417.tif 000011
【図１０】
2020527417.tif 000012
【図１１】
2020527417.tif 000013
【図１２】
2020527417.tif 000014
【図１３】
2020527417.tif 000015
【図１４】
2020527417.tif 000016
【図１５】
2020527417.tif 000017
【図１６Ａ】
2020527417.tif 000018
【図１６Ｂ】
2020527417.tif 000019
【図１７】
2020527417.tif 000020
【図１８】
2020527417.tif 000021
【国際調査報告】
2020527417.tif 000022
2020527417.tif 000023
2020527417.tif 000024
2020527417.tif 000025
2020527417.tif 000026
2020527417.tif 000027
2020527417.tif 000028